(57)【要約】      （修正有）【課題】内外側方からかかる力に対して変形せずに形状を維持することができる調理用容器を提供する。【解決手段】飲食物を流し込み可能に上方に向けて開口した収納部５と、収納部５の上端から折曲されて外側方に向けて張り出すフランジ６とを有する薄膜体により構成された容器本体３を備える調理用容器であって、フランジ６に対して長手方向に向けて第１折り代４ａが形成されている帯状体４を、第１折り代４ａを介して折曲することで構成される上片４ｃと下片４ｄとにより、上下方向から圧着した。【選択図】図３
2012055595.tif 000002
【特許請求の範囲】
【請求項１】
飲食物を流し込み可能に上方に向けて開口した収納部と、該収納部の上端から折曲されて外側方に向けて張り出すフランジと、を有する薄膜体により構成された容器本体を備える調理用容器であって、
前記フランジに対して長手方向に向けて第１折り代が形成されている帯状体を、前記第１折り代を介して折曲することで構成される上片と下片とにより、上下方向から圧着したことを特徴とする調理用容器。
【請求項２】
前記フランジは、少なくとも１つの角部を介して連続する複数の辺部を有しており、前記帯状体は、前記角部及び前記複数の辺部に跨るように連続して圧着されていることを特徴とする請求項１に記載の調理用容器。
【請求項３】
前記フランジは、平面視で略四角形状に形成されており、前記帯状体は、２つの角部と該２つの角部に連設される３つの辺部に圧着されていることを特徴とする請求項２に記載の調理用容器。
【請求項４】
前記上片は、前記収納部の内面から前記フランジの上面にかけて連続して形成されるＲ部を残して延出していることを特徴とする請求項１ないし３のいずれか記載の調理用容器。
【請求項５】
前記帯状体は、前記第１折り代よりも下方に形成された第２折り代を介して前記収納部の外面に沿うように折曲される垂下片を有していることを特徴とする請求項１ないし４のいずれかに記載の調理用容器。
【請求項６】
複数個の前記容器本体を重ね合わせる際、上方の前記調理用容器における前記垂下片が、下方の前記調理用容器における前記収納部の上端、前記フランジの上面、または前記帯状体の前記上片の上面に当接することを特徴とする請求項５に記載の調理用容器。
【請求項７】
前記上片は、前記収納部の内面から前記垂下片の略肉厚分を残して前記フランジの上面に延出していることを特徴とする請求項５または６に記載の調理用容器。
【発明の詳細な説明】
【技術分野】
【０００１】
本発明は、飲食物を流し込み可能に上方に向けて開口した収納部と、収納部の上端から折曲されて外側方に向けて張り出すフランジと、を有する薄膜体により構成された容器本体を備える調理用容器に関する。
【背景技術】
【０００２】
従来の焼き上げ用容器（調理用容器）は、アルミニウム箔（薄膜体）を打ち抜き形成することで、底壁部とこの底壁部の全周に亘って立設される周壁部を有する丸カップ形に形成されている。この調理用容器の上端縁部には、調理用容器の外側方に向けて張り出すとともに前記収納部の略全周に亘って鍔部（フランジ）が延設され、調理用容器の強度が強化されている（例えば、特許文献１参照）。
【０００３】
また、このような調理用容器の強度を高めるため、容器（容器本体）の上縁を外方に折り返すとともに、金属の芯材を内設することで縁部（フランジ）を形成し、容器の強度を向上させているものがある（例えば、特許文献２参照）。
【先行技術文献】
【特許文献】
【０００４】
【特許文献１】実用新案登録第３１２９８３７号公報（第２頁、第１図）
【特許文献２】実開平２−６３７４９号公報（第１頁、第１図）
【発明の概要】
【発明が解決しようとする課題】
【０００５】
しかしながら、特許文献２に記載の食型容器（調理用容器）にあっては、芯材は、細く且つ断面視で略円形状に形成されているため、側方からの力に対して十分な強度を得られることができずに食型容器が塑性変形してしまい、食型容器内に飲食物を流し込んで調理する際に完成した飲食物の形状が均一ではなくなってしまうという問題がある。
【０００６】
本発明は、このような問題点に着目してなされたもので、内外側方からかかる力に対して変形せずに形状を維持することができる調理用容器を提供することを目的とする。
【課題を解決するための手段】
【０００７】
前記課題を解決するために、本発明の調理用容器は、
飲食物を流し込み可能に上方に向けて開口した収納部と、該収納部の上端から折曲されて外側方に向けて張り出すフランジと、を有する薄膜体により構成された容器本体を備える調理用容器であって、
前記フランジに対して長手方向に向けて第１折り代が形成されている帯状体を、前記第１折り代を介して折曲することで構成される上片と下片とにより、上下方向から圧着したことを特徴としている。
この特徴によれば、フランジが帯状体の第１折り代を介して上片と下片とによって上下方向から圧着されているため、フランジ自体の内外側方への強度が向上され、調理用容器の変形を防止することができる。
【０００８】
本発明の調理用容器は、
前記フランジは、少なくとも１つの角部を介して連続する複数の辺部を有しており、前記帯状体は、前記角部及び前記複数の辺部に跨るように連続して圧着されていることを特徴としている。
この特徴によれば、帯状体がフランジの角部が成す角度を維持することで、容器本体の変形を防止することができる。
【０００９】
本発明の調理用容器は、
前記フランジは、平面視で略四角形状に形成されており、前記帯状体は、２つの角部と該２つの角部に連設される３つの辺部に圧着されていることを特徴としている。
この特徴によれば、平面視で略四角形状に形成された調理用容器におけるフランジの３つの辺部と２つの角部とを帯状体によって圧着するのみで、調理用容器における四角形状を十分に維持することができる。
【００１０】
本発明の調理用容器は、
前記上片は、前記収納部の内面から前記フランジの上面にかけて連続して形成されるＲ部を残して延出していることを特徴としている。
この特徴によれば、上片がＲ部を残して延出されているため、収納部からの飲食物の取り出しを行い易くすることができる。
【００１１】
本発明の調理用容器は、
前記帯状体は、前記第１折り代よりも下方に形成された第２折り代を介して前記収納部の外面に沿うように折曲される垂下片を有していることを特徴としている。
この特徴によれば、前記した帯状体の内外側方の強度に加えて、垂下片によって垂直方向の強度も強化することができるので、調理用容器の垂直方向への変形も防止することができる。
【００１２】
本発明の調理用容器は、
複数個の前記容器本体を重ね合わせる際、上方の前記調理用容器における前記垂下片が、下方の前記調理用容器における前記収納部の上端、前記フランジの上面、または前記帯状体の前記上片の上面に当接することを特徴としている。
この特徴によれば、重ね合わせた上方の調理用容器と下方の調理用容器との間に垂下片により間隙を確保し、この間隙に使用者の指等を挿し込み可能とすることができる。
【００１３】
本発明の調理用容器は、
前記上片は、前記収納部の内面から前記垂下片の略肉厚分を残して前記フランジの上面に延出していることを特徴としている。
この特徴によれば、複数の調理用容器を重ね合わせる際、上方の調理用容器の垂下片が、上方の調理用容器の側壁と下方の調理用容器の上片の端部との間に位置され、複数の調理用容器を重ね合わせる際の両調理用容器間の位置決めを行うことができる。
【図面の簡単な説明】
【００１４】
【図１】実施例１における調理用容器を示す斜視図である。
【図２】調理用容器を示す断面図である。
【図３】（ａ）は、容器本体への補強部材の取り付けを示す平面図であり、（ｂ）は、図３（ａ）におけるＡ−Ａ断面図である。
【図４】（ａ）は、パン生地を収納部内に流し込んだ状態を示す断面図であり、（ｂ）は、収納部内のパン生地が膨張した状態を示す断面図である。
【図５】（ａ）は、調理用容器を複数重ね合わせた状態を示す一部破断正面図であり、（ｂ）は、図５（ａ）における部分拡大図である。
【図６】実施例２における容器本体への補強部材の取り付けを示す平面図である。
【発明を実施するための形態】
【００１５】
本発明に係る調理用容器を実施するための形態を実施例に基づいて以下に説明する。
【実施例１】
【００１６】
実施例１に係る調理用容器につき、図１から図５を参照して説明する。以下、図２、図４（ａ）、図４（ｂ）、図５（ａ）及び図５（ｂ）の紙面手前側を調理用容器の正面側（前方側）として説明する。図１に示すように、本実施例における調理用容器１は、本発明における飲食物としてのパン生地２（図４（ａ）参照）を焼き上げるための容器本体３と、この容器本体３に取り付けられ容器本体３の強度を向上させるための帯状体４と、から構成されている。
【００１７】
このうち容器本体３は、図２及び図３（ａ）に示すように、本発明における薄膜体としてのアルミニウム箔にプレス加工を施すことで、パン生地２を流し込むことが可能に上方に向けて開口する収納部５に形成される。この収納部５は、平面視で前後幅方向に長寸の略長方形状に形成されている。
【００１８】
また、収納部５の底壁５ａの平面視での略中央部には、垂直方向を向く空気穴５ｂが貫通形成されており、この空気穴５ｂの周囲には平面視で略長方形状をなすように突部５ｃが形成されている。そして、収納部５の四方を囲む側壁５ｄは、収納部５の前後幅寸法及び左右幅寸法を収納部５の上方から下方にかけて漸次短寸となるように収納部５の略中央部に向けて傾斜して形成されている。
【００１９】
一方、図３（ｂ）に示すように、収納部５の上端は、収納部５の外側方に向けて張り出すようにフランジ６を折曲して形成しており、収納部５の内面からフランジ６の上面にかけては、連続する曲面状のＲ部５ｅが形成されている。フランジ６は、図３（ａ）に示すように、収納部５の左右幅方向を向く一対の直線形状の辺部６ａ，６ａと、辺部６ａよりも長寸に形成され収納部５の前後幅方向を向く一対の直線形状の辺部６ｂ，６ｂと、を備えている。
【００２０】
これら辺部６ａ，６ｂは、それぞれ隣り合う辺部６ｂ，６ａと平面視で略円弧形状に形成された角部６ｃを介して連続して形成されている。つまり、本実施例におけるフランジ６は、収納部５の上端の全周に亘って収納部５と同様に平面視で略長方形状に形成されている。尚、フランジ６の先端部は、収納部５の側壁５ｄに向けて巻回された補強部６ｄに形成されており、フランジ６の強度の向上が図られている。
【００２１】
図２に示すように、本実施例において容器本体３を構成するアルミニウム箔の両面にはシリコーン樹脂７が薄膜に塗布されている。このため、本実施例における調理用容器１でパン等を焼き上げる際には、収納部５内での図示しないパンや焦げの付着を防止することができるようになっている。特に、調理用容器１から前記パンを取り出す際には、底壁５ａに形成された空気穴５ｂからの収納部５内への空気の流入及び突部５ｃの形状によって容易に前記パンを調理用容器１から取り出すことが可能となっている。
【００２２】
次に帯状体４について説明する。図３（ａ）及び図３（ｂ）に示すように、帯状体４は、上記した容器本体３を構成するアルミニウム箔よりも強い強度を備えたブリキにより構成された板体からなっている。
【００２３】
この帯状体４の上部側には、帯状体４を長手方向の全長に亘って湾曲するように折曲することで第１折り代４ａが形成している。また、帯状体４の下部側には、帯状体４を長手方向の全長に亘って第１折り代４ａとは反対の方向に屈曲するようにすることで第２折り代４ｂが形成されており、帯状体４の上端部から第１折り代４ａまでがフランジ６の上面に対して当接するための上片４ｃに形成され、第１折り代４ａから第２折り代４ｂまでがフランジ６の下面に対して当接するための下片４ｄに形成されている。
【００２４】
更に、帯状体４の第２折り代４ｂから下端部までは、収納部５の側壁５ｄに当接するための垂下片４ｅに形成されている。この垂下片４ｅの下端部は、平面視で、Ｒ部５ｅより外方に位置するように設定されている。
【００２５】
このように構成された帯状体４は、図１及び図３（ａ）に示すように、平面視で略コ字形状となるように折曲形成されている。このため、帯状体４の上片４ｃと下片４ｄとにかけては、垂直方向の断面視で帯状体４の内側に向けて予め開口する略くの字形状に形成され、垂下片４ｅは帯状体４の内側に向けて下方に傾斜をなしている。
【００２６】
このように形成された帯状体４をフランジ６に取り付けるには、先ず、図３（ａ）及び図３（ｂ）に示すように、帯状体４を容器本体３の背面側から正面側に向けてスライド移動させていき、フランジ６の角部６ｃ，６ｃ及び、これら角部６ｃ，６ｃに連設された辺部６ａ及び辺部６ｂ，６ｂの補強部６ｄを上片４ｃと下片４ｄとの間に配置させる。
【００２７】
このとき、垂下片４ｅは、収納部５の側壁５ｄの外面に沿って摺接しながら容器本体３の背面側から正面側に向けてスライド移動される。つまり、垂下片４ｅは、この帯状体４をフランジ６に取り付ける工程において補強部６ｄが上片４ｃと下片４ｄとの間にずれることなく配置されるようガイドの役割を果たしており、帯状体４を容器本体３の背面側から正面側に向けてスライド移動させるだけの動作で容易に帯状体４のフランジ６に対する取り付けを容易に行うことができる。
【００２８】
補強部６ｄを上片４ｃと下片４ｄとの間に配置させた後は、プレス機等を用いて上片４ｃ及び下片４ｄを第１折り代４ａを介してフランジ６に向けて折曲させることで、上片４ｃ及び下片４ｄを、フランジ６の連続する三方向の辺部６ｂ，６ａ，６ｂ及び角部６ｃ，６ｃに跨るように圧着させる。このフランジ６に対する帯状体４の圧着は、前述したように、垂下片４ｅによって補強部６ｄを上片４ｃと下片４ｄとの間にずれることなく配置した状態で行われるため、改めて補強部６ｄの上片４ｃと下片４ｄに対する位置決めを行うことなくなされるため、本実施例の調理用容器１を簡単に製造することが可能となっている。
【００２９】
帯状体４は、上片４ｃと下片４ｄとを第１折り代４ａで折曲した形状となることで側方からの力に対する強度が向上されるため、この帯状体４が圧着されたフランジ６も側方からの力に対する強度が向上し、フランジ６の４つの辺部６ａ，６ａ，６ｂ，６ｂ及び４つの角部６ｃ，６ｃ，６ｃ，６ｃの全てに対して帯状体４を圧着させずとも側方からの力に対して調理用容器１の変形を防止するための十分な強度を得ることができる。
【００３０】
更に、垂下片４ｅは、前述したように帯状体４の内側に向けて第２折り代４ｂから下方に傾斜をなすように屈曲しているため、帯状体４は、側方からの力に対する強度に加えて垂直方向からの力に対する強度が向上され、帯状体４が取り付けられるフランジ６の垂直方向からの力に対する強度を向上させることができる。
【００３１】
このフランジ６が上片４ｃと下片４ｄとで圧着された状態では、上片４ｃは、収納部５のＲ部５ｅを残すように、収納部５の内面から垂下片５ｅの肉厚分を残して容器本体３の外側方から内側方に向けて延出されている。
【００３２】
以上のように容器本体３に帯状体４を取り付けることで、本実施例の調理用容器１は側方及び垂直方向への変形に対する強度を向上させることができるため、使用者が調理用容器１を把持する際に使用者の指から容器本体３にかかる力の他、図４（ａ）及び図４（ｂ）に示すように、収納部５内に流し込まれたパン生地２をオーブン等で加熱することでパン生地２が膨張しても、パン生地２が収納部５を外側方に向けて押し広げようとする力に抗して調理用容器１の変形を防止することができる。
【００３３】
尚、収納部５内にパン生地２が流し込まれた調理用容器１がオーブン内等で加熱されることでパン生地２が膨張する際には、帯状体４の上片４ｃがＲ部５ｅを残して延出されているため、パン生地２の膨張が阻害されることがないとともに、前記パンの焼き上がり後に上片４ｃによって収納部５内からの前記パンの取り出しが阻害されることがない。
【００３４】
また、本実施例の調理用容器１は、前述したように収納部５の四方を囲む側壁５ｄが、収納部５の前後幅寸法及び左右幅寸法を収納部５の上方から下方にかけて漸次短寸となるように収納部５の略中央部に向けて傾斜して形成されているため、図５（ａ）に示すように、一方の調理用容器１の収納部５の底部を他方の調理用容器１の収納部５内に挿入配置することによって、複数の調理用容器１を重ね合わせておくことが可能となっている。
【００３５】
この複数の調理用容器１，１を上下に重ね合わせる際には、図５（ｂ）に示すように、垂下片４ｅが収納部５の側壁５ｄの外面に沿って配置されているとともに、上片４ｃが収納部５の内面から垂下片５ｅの肉厚分を残して容器本体３の外側方から内側方に向けて延出されているため、上方の調理用容器１における垂下片４ｅの下端部が、この調理用容器１における収納部５の側壁５ｄと下方の調理用容器１における上片４ｃの上端部との間で、下方の調理用容器１におけるフランジ６の上面に当接配置される。
【００３６】
このため、上方の調理用容器１の垂下片４ｅと下方の調理用容器１における収納部５の側壁５ｄとが略一直線上に配置され、上方の調理用容器１の荷重が下方の調理用容器１にて安定的に支持される。更に、上方の調理用容器１における垂下片４ｅの下端部は、この調理用容器１における収納部５の側壁５ｄと下方の調理用容器１における上片４ｃ間に配置されることで側方への移動が規制され、上下間の調理用容器１，１での位置決めが成される。
【００３７】
同時に、上方の調理用容器１における垂下片４ｅの下端部が下方の調理用容器１におけるフランジ６の上面に当接配置されることで、上方の調理用容器１における下片４ｄの下面と下方の調理用容器１における上片４ｃの上面との間に間隙Ｄが生じる。使用者はこの間隙Ｄに指等を差し込み、重ね合わされた複数の調理用容器１の中から個別に調理用容器１を容易に取り出すことができるようになっている。
【００３８】
尚、本実施例では、複数の調理用容器１，１を上下に重ね合わせる際に上方の調理用容器１における垂下片４ｅの下端部を下方の調理用容器１におけるフランジ６の上面に当接させたが、垂下片４ｅの肉厚が薄い場合には、上方の調理用容器１における垂下片４ｅの下端部を下方の調理用容器１における収納部５の上端であるＲ部５ｅに当接させてもよく、また、垂下片４ｅの肉厚が厚い場合には、上方の調理用容器１における垂下片４ｅの下端部を下方の調理用容器１における上片４ｃの上面に当接させてもよい。
【００３９】
以上、本実施例における調理用容器１にあっては、フランジ６に対して長手方向に向けて第１折り代４ａが形成されている帯状体４を、第１折り代４ａを介して折曲することで構成される上片４ｃと下片４ｄとにより、上下方向から圧着したので、フランジ６自体の内外側方への強度が向上され、調理用容器１の変形を防止することができる。
【００４０】
また、フランジ６は、少なくとも１つの角部６ｃを介して連続する複数の辺部６ａ，６ｂを有しており、帯状体４は、角部６ｃ及び複数の辺部６ｂ，６ｃに跨るように連続して圧着されているので、帯状体４がフランジ６の角部６ｃが成す角度を維持することで、容器本体３の変形を防止することができる。
【００４１】
また、フランジ６は、平面視で略四角形状に形成されており、帯状体４は、２つの角部６ｃ，６ｃと２つの角部６ｃ，６ｃに連設される３つの辺部６ｂ，６ａ，６ｂに圧着されているので、平面視で略四角形状に形成された調理用容器１におけるフランジ６の３つの辺部６ｂ，６ａ，６ｂと２つの角部６ｃ，６ｃとを帯状体４によって圧着するのみで、調理用容器１における四角形状を十分に維持することができる。
【００４２】
また、上片４ｃは、収納部５の内面からフランジ６の上面にかけて連続して形成されるＲ部５ｅを残して延出しているので、収納部５からのパン生地２の取り出しを行い易くすることができる。
【００４３】
また、帯状体４は、第１折り代４ａよりも下方に形成された第２折り代４ｂを介して収納部５の外面に沿うように折曲される垂下片４ｅを有しているので、前記した帯状体４の内外側方の強度に加えて、垂下片４ｅによって垂直方向の強度も強化することができるので、調理用容器１の垂直方向への変形も防止することができる。
【００４４】
また、複数個の容器本体３を重ね合わせる際、上方の調理用容器１における垂下片４ｅが、下方の調理用容器１における収納部５の上端、フランジ６の上面、または帯状体４の上片４ｃの上面に当接するので、重ね合わせた上方の調理用容器１と下方の調理用容器１との間に垂下片４ｅにより間隙Ｄを確保し、この間隙Ｄに使用者の指等を挿し込み可能とすることができる。
【００４５】
また、上片４ｃは、収納部５の内面から垂下片４ｅの略肉厚分を残してフランジ６の上面に延出しているので、複数の調理用容器１を重ね合わせる際、上方の調理用容器１の垂下片４ｅが、上方の調理用容器１の側壁５ｄと下方の調理用容器１の上片４ｃの端部との間に位置され、複数の調理用容器１を重ね合わせる際の両調理用容器１，１間の位置決めを行うことができる。
【実施例２】
【００４６】
次に、実施例２に係る調理用容器につき、図６を参照して説明する。尚、前記実施例１と同一構成で重複する構成については説明を省略する。
図６に示すように、本実施例におけるフランジ６には、一対の帯状体８，８が圧着されている。これら帯状体８は、それぞれが連続する辺部６ａ（図３（ａ）参照）と角部６ｃと辺部６ｂ（図３（ａ）参照）とに圧着するために平面視で略Ｌ字形状に形成されている。
【００４７】
これら帯状体８，８をフランジ６に圧着させるには、図６に示すように、一方の帯状体４を容器本体３の正面側から背面側に向けて移動させていき、特に図示しないが、フランジ６の角部６ｃ及びこの角部６ｃと連続する辺部６ａ，６ｂの補強部６ｄを上片と下片（ともに図示せず）との間に配置させる。
【００４８】
同様に、他方の帯状体８を容器本体３の背面側から正面側に向けて移動させていき、一方の帯状体８の前記上片と前記下片との間に配置された角部６ｃ及び辺部６ａ，６ｂとは対向して配置された角部６ｃ及びこの角部６ｃと連続する辺部６ａ，６ｂの補強部６ｄを上片と下片との間に配置させる。そして、これら帯状体８，８の前記上片及び前記下片をプレス機等を用いてフランジ６に向けて折曲することで帯状体８，８をフランジ６に圧着する。このように帯状体８，８をフランジ６に圧着することで、フランジ６の全ての辺部６ａ，６ｂと２つの角部６ｃ，６ｃの強度を向上させることができる。
【００４９】
以上、本発明の実施例を図面により説明してきたが、具体的な構成はこれら実施例に限られるものではなく、本発明の要旨を逸脱しない範囲における変更や追加があっても本発明に含まれる。
【００５０】
例えば、前記実施例では、フランジ６を平面視で略長方形状に形成したが、フランジの形状は平面視で円形状の他、平面視で三角形状や五角形状等の多角形状であってもよい。尚、フランジを平面視で円形状に形成する場合には、辺部を円弧形状に形成する。
【００５１】
また、前記実施例では、帯状体４を角部６ｃ及びこの角部６ｃと連続する辺部６ａ，６ｂに跨るように圧着させたが、辺部６ａ，６ｂの何れか一辺のみに帯状体４を圧着させるようにしてもよい。
【００５２】
また、前記実施例では、容器本体３をアルミニウム箔にプレス加工を施すことで形成したが、容器本体３はアルミニウム以外の軽金属で薄膜体を構成し、この薄膜体にプレス加工を施すことで形成してもよい。
【００５３】
また、前記実施例では、帯状体４をフランジ６の辺部６ａ，６ｂ及び角部６ｃを連続して圧着するように屈曲形成したが、帯状体をフランジ６の辺部６ａ，６ｂのみを圧着するように直線状に形成してもよい。
【００５４】
また、前記実施例では、調理用容器１を垂直方向に重ねあわせることで上方の調理用容器１の垂下片４ｅを下方の調理用容器の周縁端部５ｃに当接させ、両フランジ６，６間に間隙を形成したが、帯状体に第２折り代を形成せず、上方の調理用容器１の下片４ｄが下方の調理用容器１の上片４ｃに当接することで調理用容器１同士を重ね合わせるようにしてもよい。
【００５５】
また、前記実施例では、角部６ｃを平面視で略円弧形状に形成したが、角部６ｃは、辺部６ａ，６ｂを直交させることで、平面視で略直角形状に形成してもよく、また、フランジ６の平面視での形状によっては辺部６ａ，６ｂの成す角度を適宜変更して形成してもよい。
【００５６】
また、前記実施例では、収納部５に流し込まれる飲食物をパン生地２として説明したが、収納部５に流し込まれる飲食物はパン生地２と同様に加熱することで膨張するケーキ生地等の他、冷却することで体積が増大する水を含む液体等であってもよく、収納部５に液体を流し込む場合には空気穴５ｂを形成しないことが望ましい。
【００５７】
また、前記実施例では、帯状体４をブリキによって構成したが、帯状体４は耐熱性を有する材質であれば金属材の他樹脂材等であってもよい。
【符号の説明】
【００５８】
１                調理用容器
２                パン生地（飲食物）
３                容器本体
４                帯状体
４ａ              第１折り代
４ｂ              第２折り代
４ｃ              上片
４ｄ              下片
４ｅ              垂下片
５                収納部
５ｅ              Ｒ部
６                フランジ
６ａ，６ｂ        辺部
６ｃ              角部
８                帯状体
【図１】
2012055595.tif 000003
【図２】
2012055595.tif 000004
【図３】
2012055595.tif 000005
【図４】
2012055595.tif 000006
【図５】
2012055595.tif 000007
【図６】
2012055595.tif 000008